(57)【要約】【課題】廃プラスチックをコンテナにて効率良く輸送する方法、及びコンテナ輸送に適した廃プラスチック塊に圧縮処理するプレス機を提供する。【解決手段】圧縮減容した廃プラスチック塊をコンテナの幅方向、長さ方向に所定列、高さ方向に所定段積み込めばコンテナの積み込みスペースが丁度埋まるように廃プラスチック塊の縦、横、高さ寸法を決定する。そして、プレス機１のケーシング２内の幅、奥行き、及びプレス高さ寸法は、廃プラスチック塊の幅、長さ、高さ寸法と略一致させる。このプレス機１にて圧縮減容した廃プラスチック塊をコンテナに積み込めば、コンテナの幅方向、高さ方向、長さ方向に過不足なく効率良く積み込め、輸送効率が良くなる。【選択図】　図６
2004066309.tif 000002
【特許請求の範囲】
【請求項１】
圧縮減容した廃プラスチック塊をコンテナの幅方向、長さ方向に所定列、高さ方向に所定段積み込めばコンテナの積み込みスペースが丁度埋まるように廃プラスチック塊の縦、横、高さ寸法を決定し、プレス機にて前記寸法に廃プラスチックを圧縮減容し、この廃プラスチック塊をコンテナに積み込んで輸送することを特徴とする廃プラスチックのコンテナ輸送方法。
【請求項２】
立設したケーシングの上部にシリンダを垂設し、該シリンダのピストンロッド先端にプレス板を固着すると共に、該プレス板を前記ケーシング内に配してピストンロッドの伸縮に応じてケーシング内を上下方向に往復動自在とし、前記プレス板の降下によってケーシング内に充填した廃プラスチックを圧縮して減容するプレス機であって、前記ケーシング内の幅、奥行き、及びプレス高さ寸法を圧縮減容した廃プラスチック塊をコンテナの幅方向、長さ方向に所定列、高さ方向に所定段積み込めばコンテナの積み込みスペースが丁度埋まるように決定した廃プラスチック塊の縦、横、高さ寸法と略一致させたことを特徴とする廃プラスチックのプレス機。
【発明の詳細な説明】
【０００１】
【発明の属する技術分野】
本発明は、使用済みの発泡スチロールやＰＥＴボトルなどの廃プラスチックをコンテナにて輸送する方法、及びコンテナ輸送に適した廃プラスチック塊に圧縮処理するプレス機に関する。
【０００２】
【従来の技術】
近年、環境保護の一環として事業所や家庭などより出される資源ゴミを回収し、再生処理した上で再利用する、いわゆるリサイクルが盛んに行われており、それら資源ゴミと呼ばれるものの一つに、発泡スチロールやＰＥＴボトルなどに代表される廃プラスチックがある。ところで、これら廃プラスチックは専ら国内にて再利用されているが、国外への輸出も増加している。この輸出方法は、基本的に４０フィートコンテナでの船積み輸送にて行われるが、荷姿はフレコンバックに押し込んでコンテナに投入することが多く行われている。
【０００３】
【発明が解決しようとする課題】
しかしながら、従来のようにフレコンバックに押し込んでコンテナに積み込む方法ではコンテナ１基当たりの積み込み重量も軽く、不経済であり、少くともコンテナ１基当たり２０トンの積み込みを要望する声もある。
【０００４】
本発明は上記の点に鑑み、廃プラスチックをコンテナにて効率良く輸送する方法、及びコンテナ輸送に適した廃プラスチック塊に圧縮処理するプレス機を提供することを課題とする。
【０００５】
【課題を解決するための手段】
上記の課題を解決するために、請求項１記載の廃プラスチックのコンテナ輸送方法は、圧縮減容した廃プラスチック塊をコンテナの幅方向、長さ方向に所定列、高さ方向に所定段積み込めばコンテナの積み込みスペースが丁度埋まるように廃プラスチック塊の縦、横、高さ寸法を決定し、プレス機にて前記寸法に廃プラスチックを圧縮減容し、この廃プラスチック塊をコンテナに積み込んで輸送することを特徴としている。
【０００６】
また、請求項２記載の廃プラスチックのプレス機は、立設したケーシングの上部にシリンダを垂設し、該シリンダのピストンロッド先端にプレス板を固着すると共に、該プレス板を前記ケーシング内に配してピストンロッドの伸縮に応じてケーシング内を上下方向に往復動自在とし、前記プレス板の降下によってケーシング内に充填した廃プラスチックを圧縮して減容するプレス機であって、前記ケーシング内の幅、奥行き、及びプレス高さ寸法を圧縮減容した廃プラスチック塊をコンテナの幅方向、長さ方向に所定列、高さ方向に所定段積み込めばコンテナの積み込みスペースが丁度埋まるように決定した廃プラスチック塊の縦、横、高さ寸法と略一致させたことを特徴としている。
【０００７】
【発明の実施の形態】
本発明の請求項１記載の廃プラスチックのコンテナ輸送方法は、先ず、圧縮減容した廃プラスチック塊をコンテナの幅方向、長さ方向に所定列、高さ方向に所定段積み込めばコンテナの積み込みスペースが丁度埋まるように廃プラスチック塊の縦、横、高さ寸法を決定する。そして、プレス機にて前記寸法に廃プラスチックを圧縮減容し、圧縮減容した廃プラスチック塊をコンテナに積み込んで輸送する。これによって、廃プラスチック塊は、コンテナの幅方向、高さ方向、長さ方向に過不足なく効率良く積み込めるとともに、圧縮により重量も増加して輸送効率も良くなる。
【０００８】
本発明の請求項２記載の廃プラスチックのプレス機によれば、予め圧縮減容した廃プラスチックを輸送用コンテナの幅方向、長さ方向に所定列、高さ方向に所定段積み込めばコンテナの積み込みスペースが丁度埋まるように圧縮減容後の廃プラスチック塊の縦、横、高さ寸法を決定し、この寸法をプレス機のケーシング内の幅、奥行き、及びプレス高さとして製作している。したがって、このプレス機にて圧縮減容した廃プラスチック塊をコンテナに積み込んでいけば、コンテナの幅方向、高さ方向、長さ方向において積み込みスペースが丁度埋まるようになり、コンテナの幅方向、高さ方向、長さ方向に過不足なく効率良く積み込め、輸送効率が良くなる。
【０００９】
【実施例】
以下、本発明の実施例を図面に基づいて説明する。
【００１０】
本発明は、廃プラスチックをコンテナに積載して効率良く輸送できるように、廃プラスチックをプレス機にて圧縮減容する。このとき、圧縮減容した廃プラスチック塊はコンテナに効率良く積み込めるように大きさを工夫している。通常、廃プラスチックの輸送には４０フィートコンテナが使用されるが、このコンテナの積み込みスペースが丁度埋まるように圧縮減容する廃プラスチックの縦、横、高さの寸法を決定する。例えば、圧縮減容後の廃プラスチック塊の寸法を４２０ｍｍ×５４０ｍｍ×６００ｍｍにし、これをコンテナ幅方向に４列、長さ方向に１８列、高さ方向に６段積むと、コンテナの幅方向に４×５４０＝２１６０ｍｍ、長さ方向１８×６００＝１０８００ｍｍ、高さ方向に６×４２０＝２５２０ｍｍとなり、４０フィートコンテナの積み込みスペースが丁度埋まる程度になる。このように、廃プラスチック塊の縦寸法×整数列、横寸法×整数列、高さ寸法×整数段がコンテナの積み込みスペースにほぼ丁度となるように、圧縮減容後の廃プラスチック塊の縦、横、高さの寸法を決定する。
【００１１】
また、廃プラスチックの圧縮減容に使用されるプレス機は、前記決定される寸法の廃プラスチック塊に圧縮減容できるように、ケーシング内の幅、奥行き、プレス高さを備えたものとなる。
【００１２】
プレス機の一実施例を図１乃至図６に基づいて説明すると、図中の１は、使用済みの発泡スチロールやＰＥＴボトルなどの廃プラスチックを圧縮減容処理するプレス機であって、本体であるケーシング２と、該ケーシング２の上部に配設した油圧シリンダ３にて主体を構成している。そして、ケーシング２内の幅及び奥行きは圧縮減容される廃プラスチックの縦、横の寸法に略一致させている。
【００１３】
前記ケーシング２の前面、及び一側面には複数の扉４、５、６、７を開閉自在に備え、廃プラスチックの投入、及び排出に応じて各扉４、５、６、７を適宜開閉する。なお、ケーシング２側面の扉７は、圧縮した廃プラスチックがケーシング２の内壁に強固につっかえたとしても容易に取り出せるように備えている。
【００１４】
また、前記油圧シリンダ３は、シリンダ本体８、ピストンロッド９、及びピストンロッド９先端部に固着したプレス板１０から成っており、近傍に配置した油圧ユニット（図示せず）から供給される油圧によってピストンロッド９を伸縮させ、プレス板１０を昇降させることで、ケーシング２内に充填した廃プラスチックを圧縮減容する。
【００１５】
１１は油圧シリンダ３用の制御盤であって、油圧シリンダ３の駆動、停止などのプレス機１の基本の操作制御と共に、圧縮減容する際に使用する高圧の押圧力と、この約半分程度の低圧の押圧力との切り替え制御を行う機能を有している。そして、実際に廃プラスチックを圧縮減容するときには、先ず高圧の押圧力で圧縮減容を行い、取り出す際に低圧の押圧力に切り替え、圧縮減容した廃プラスチックの強い反発力（復元力）を若干弱める。こうすることにより、ケーシング２解放時に内部から勢いよくエアーが吹き出したり、急激に扉が押し広げられるような不具合を減らせ、また廃プラスチックの反発力によって結束材が切れることも少なくすることができるように図っている。
【００１６】
前記制御盤１１によって制御されるプレス機の通常の押圧力は、例えば、発泡スチロールなどを良好に圧縮減容できるように、２０ｋｇ以上／ｃｍ↑２程度の高圧とし、低圧の押圧力はその約半分の１０ｋｇ／ｃｍ↑２程度とするが、これら押圧力の具体的数値は適宜設計すれば良い。なお、このプレス機の押圧力を設計するときには、４０フィートコンテナの積載量が２５トンであり、プラスチック塊の寸法を４２０ｍｍ×５４０ｍｍ×６００ｍｍで、コンテナ幅方向に４列、長さ方向に１８列、高さ方向に６段積むとすれば、１個のプラスチック塊が略５７ｋｇ程度であれば積載量の２５トンに近づけ、効率の良い輸送ができる。したがって、コンテナ積載量と積載する廃プラスチック塊の個数とから１個当たりのの重量を算出し、この重量値に極力近づけるようにプレス機の押圧力を設計することが好ましい。
【００１７】
また、ケーシング２の背面には結束バンドなどの結束材が挿通可能なようにスリット１２を複数穿設していると共に、ケーシング２内部の床面とプレス板１０の底面には前記各スリット１２位置と合致するように同数の溝１３、１４を設けており、圧縮減容した廃プラスチックをプレス板１０で押さえ付けたままで、廃プラスチックの周囲に結束材を巻回して結束できるようにしている。
【００１８】
また、ケーシング２前面の扉６、及びケーシング２の背面にはピストンロッド９と平行に複数の長穴１５を穿設していると共に、圧縮した廃プラスチックが反発力によって復元しようとするのを上から押さえ付けて抑止する抑止片１６を、前記長穴１５を介してケーシング２内へ出没自在に備えている。前記抑止片１６は図５に示すように、略菱形状の板体であって、前記長穴１５と平行に配し、その上端を軸体１７にて扉６、或いはケーシング２へそれぞれ回動自在に軸着していると共に、その下端側に備えた付勢手段であるバネ体１８に引っ張られて実線であらわす位置に維持されている。
【００１９】
また、プレス板１０の最下点を抑止片１６のこの突出位置と略同じ高さ位置に設定しており、プレス板１０を降下させた際にはプレス板１０周縁部によって抑止片１６は押圧され、矢印にて示すように、長穴１５内へと押し下げられて二点鎖線であらわす位置へ埋没する一方、プレス板１０を上昇させた際には抑止片１６はバネ体１８に引っ張られて直ちにケーシング２内へ突出し、再び実線であらわす位置へ戻るように構成している。このプレス板１０の最下点位置（プレス高さ）は圧縮減容される廃プラチック塊の高さとして決定した寸法と略一致させている。
【００２０】
しかして、上記プレス機を使用して発泡スチロールやＰＥＴボトルなどの廃プラスチックを圧縮減容する場合には、先ず、結束材をケーシング２内部の床面上の溝１３に沿って這わせて、その一端をプレス機１の前方へ、他端をスリット１２を介してプレス機１の後方へ配しておく。このとき、ケーシング２内には長穴１５を介して複数の抑止片１６が突出している。次に、扉４のみを開放した状態で、その開放口から廃プラスチックを投入してケーシング２内に充填する。
【００２１】
そして、扉４を閉鎖してケーシング２を密閉し、油圧シリンダ３を駆動してプレス板１０を降下させ、ケーシング２内の廃プラスチックを圧縮して減容した後、直ちに油圧シリンダ３の圧力を所定圧力まで自動的に緩めてケーシング２の内圧を低下させる。この間に、プレス板１０は降下に伴ってその周縁部で抑止片１６を押圧し、長穴１５内へと押し下げて埋没させる。続いて、廃プラスチックを圧縮減容して生じたケーシング２内の空きスペースへ新たに廃プラスチックを補充するため、プレス板１０を上昇させて廃プラスチックに対する圧縮を一旦解除する。このとき、圧縮した廃プラスチックは反発力によって直ちに復元しようとするが、プレス板１０の上昇に伴い、バネ体１８に引っ張られて長穴１５内から抑止片１６が再び突出し、復元しようとする廃プラスチックを上側から押さえ付けて復元を抑止する。
【００２２】
このようにして、廃プラスチックの圧縮と補充とを繰り返し行った後、プレス板１０にて廃プラスチックを圧縮した状態のまま扉６、７を開放し、予め配しておいた結束材を廃プラスチックの周囲に巻回して結束する。そして、プレス板１０を上昇させて結束済みの廃プラスチック塊Ｐを取り出して減容処理を完了する。
【００２３】
取り出した廃プラスチック塊は、プレス機１のケーシング２内の幅、奥行き、及びプレス高さ寸法を有する所望の大きさの塊であり、これをコンテナの幅方向、長さ方向に所定列、高さ方向に所定段積み込んでいけば、コンテナの幅方向、高さ方向、長さ方向に過不足なく効率良く積み込め、また、圧縮により重量も増加して輸送効率も好ましいものとなる。
【００２４】
【発明の効果】
以上のように本発明に係る廃プラスチックのコンテナ輸送方法によれば、圧縮減容した廃プラスチック塊をコンテナの幅方向、長さ方向に所定列、高さ方向に所定段積み込めばコンテナの積み込みスペースが丁度埋まるように廃プラスチック塊の縦、横、高さ寸法を決定し、プレス機にて前記寸法に廃プラスチックを圧縮減容し、この廃プラスチック塊をコンテナに積み込んで輸送するので、廃プラスチック塊をコンテナの幅方向、高さ方向、長さ方向に過不足なく効率良く積み込めるとともに、圧縮により重量も増加して輸送効率も良くなる。
【００２５】
また、本発明に係る廃プラスチックのプレス機によれば、立設したケーシングの上部にシリンダを垂設し、該シリンダのピストンロッド先端にプレス板を固着すると共に、該プレス板を前記ケーシング内に配してピストンロッドの伸縮に応じてケーシング内を上下方向に往復動自在とし、前記プレス板の降下によってケーシング内に充填した廃プラスチックを圧縮して減容するプレス機であって、前記ケーシング内の幅、奥行き、及びプレス高さ寸法を圧縮減容した廃プラスチック塊をコンテナの幅方向、長さ方向に所定列、高さ方向に所定段積み込めばコンテナの積み込みスペースが丁度埋まるように決定した廃プラスチック塊の縦、横、高さ寸法と略一致させたので、このプレス機にて圧縮減容した廃プラスチックをコンテナに積み込んでいけば、コンテナの幅方向、高さ方向、長さ方向において積み込みスペースが丁度埋まるようになり、コンテナの幅方向、高さ方向、長さ方向に過不足なく効率良く積み込め、輸送効率が良くなる。
【図面の簡単な説明】
【図１】本発明に係る廃プラスチックのプレス機の正面図である。
【図２】図１の側面図である。
【図３】図１の平面図である。
【図４】図１のプレス機正面側の扉を開放した状態を示す図である。
【図５】図２の一部切り欠き部分拡大図である。
【図６】図１の廃プラスチックを圧縮減容した様子を示す図である。
【符号の説明】
１…プレス機　　　　　　　　　　　２…ケーシング
３…油圧シリンダ　　　　　　　　　９…ピストンロッド
１０…プレス板　　　　　　　　　　１１…制御盤
１５…長穴　　　　　　　　　　　　１６…抑止片
１８…バネ体（付勢手段）　　　　　　Ｐ…廃プラスチック塊
【図１】
2004066309.tif 000003
【図２】
2004066309.tif 000004
【図３】
2004066309.tif 000005
【図４】
2004066309.tif 000006
【図５】
2004066309.tif 000007
【図６】
2004066309.tif 000008